(57)【要約】      （修正有）【課題】プラスチック容器では解決出来ない、使用後の容器のリサイクル化と低コスト高機能容器の開発で省資源化をはかり、又容器の個性化と体裁美化と収納する果実等農産物又は加工食品等の物品の毀損を無くし全体的に商品価値を高め、同時に関係する事業者等のトータルコスト削減化を実現する便利な紙容器又は紙トレーを提供する。【解決手段】シート状の板紙を打ち抜き折り曲げ成型せられた紙容器において、前後の立ち上がり面の切り刃線１の中央点１０を接点とし、この切り刃線１と２本の立ち上がり面の罫線２で形成される二つの面４と一つの面５の立ち上り面によって、大きさが季節で変動を余儀なくされる果実等農産物又は加工食品等の物品の収納に適切に対応する。【選択図】図２
0003113579.tif 000002
【実用新案登録請求の範囲】
【請求項１】
パルプ又は古紙を主原料とする板紙又は段ボールシートを打ち抜き折り曲げ加工により形成せられた容器本体「図２」において、紙本体「図１」に示す切り刃線「１」と容器の前後の立ち上り面の２本の折り曲げ罫線「２」により、容器本体の前後の立ち上り面に伸縮の機能を持たせた四角又は複数角の紙容器又は紙トレー。
【考案の詳細な説明】
【技術の分野】
【０００１】  本考案は、一つの容器において大小の葡萄の房や苺等の農産物等又は加工食品等の物品を収納するのに便利な紙容器又は紙トレーに関する。
【背景技術】
【０００２】  プレス成型やプラスチック射出成型の成型装置費は高価であるが、これに比してこのようなシート状の板紙を折り曲げ打ち抜き成型加工する紙容器又は紙トレーは、成型装置が安価な為に広い分野に利用されている。これらシートを折り曲げて目的とする形状に組み立てた紙容器又は紙トレーは、一般的には収納物品一定量毎の定量容器で対応してきた経緯となっている。即ち従来は一定の容器に対応するＳ，Ｍ，Ｌ等一定量の果実等の農作物等又は加工食品等の物品を収納していたが、特に果実等の農作物又は加工食品等の物品の如く大きさや形状や収納量等が自然現象の変化の影響を受けやすい物品等には順応できないでいる。
【考案の開示】
【考案が解決しようとする課題】
【０００３】  そこで本考案は、プラスチック容器のリサイクル対策と廃棄処分問題が社会問題化している中で、容器の使用後再生ができリサイクル対策でほとんど問題のない又廃棄処分で問題の少ない環境に優しい紙容器の採用を推進しながら、特に収穫毎に形状や容量の大きめに変動する葡萄の房や苺等の農産物等又は加工食品等の物品を適性に収納ができ、体裁を整え商品価値を高め、特に果実等又は加工食品等の物品の毀損を防ぎ、取り扱いに便利なパルプ又は古紙を素材とする紙容器又は紙トレーを提供しようとするものである。
【課題を解決するための手段】
【０００４】  本考案は、シート状の板紙を折り曲げ打ち抜き成型せられた紙容器本体「図２」の特徴は、前後の立ち上り面において、底面の折り曲げ罫線「７」を底辺として、この底辺の折り曲げ罫線の両端から切り刃線「１」の中心点「１０」で結ばれる２本の折り曲げ罫線「２」によって、前後立ち上り面が、容器に収容される収納物品等の量に応じて、前後の立ち上り面の外側方向に拡幅を伴いながら突き出る機能を仕組んでなるものである。
【考案の効果】
【０００５】  本考案は、シート状の板紙を折り曲げ打ち抜き成型加工によって成型した容器本体「図２」の前後の立ち上り面の罫線「２」において、容器に収納された果実等又は加工食品等の物品の量で圧力が加わることにより、前後の立ち上り面を前後に拡幅を伴いながら突き出るような装置が設けてある。特に収穫毎に果実等の物品の大きさや形状の変動するものに対しては、自動的にこの容器の装置により収納物品の体裁を保持調整し、収納物品の毀損を防ぎ、結果的に商品価値の保守と向上と経済効果の期待が可能となる。又使用済みの紙容器は資源としてリサイクルされ古紙容器等として再び生まれ変わることが可能で、地球温暖化を阻止し、廃棄処分による埋立地の隘路化を抑止する環境に優しいパルプ又は古紙を素材とする紙容器の提供が可能となる。
【考案を実施するための最良の形態】
【０００６】  本考案は、図示に従えば、容器本体「図２」の前後の立ち上り面において、底面の折り曲げ罫線「７」の両端から、切り刃線「１」の中心点「１０」を結んだ二等辺三角形「５」を形成する。この容器の装置により、農産物等又は食品加工品等の物品のように予め予定された大きさの物品等が予期しない自然現象等で変動して大きくなる場合等、予定物品収納量が増加しても、実際の物品収納量に応じて、容器で相対する前後の立ち上り面において、二等辺三角形を形成する頂点「１０」を各前後に押し出し、各反対方向に自動的に拡幅し押し広げることで対応することとなる。
【実施例】
【０００７】  本考案を図示の実施例により詳記すると次の如くである。シート状の板紙を折り曲げ打ち抜き成型加工した紙本体「図１」のように所定形状に打ち抜き、前後の立ち上り面において、折り曲げ罫線「２」の二つの罫線と、切り刃線「１」と、底部の折り曲げ罫線「７」を、切り刃線「１」の中心点「１０」で結ぶ二等辺三角形なる面「５」を形成して設けてなるものである。【０００８】  実施例では、容器本体「図２」の前後の立ち上り面において、２本の折り曲げ罫線「２」と底面の折り曲げ罫線「７」の二等辺三角形「５」を形成するものであるが、しかしながら容器の完成品は「図６」であり、折り曲げ罫線「２」を予め折り曲げるに能わずである。かくして前後の立ち上り面おいて、容器内に葡萄の房や苺等の農産物又は加工食品等の物品を入れる量の圧力によって、切り刃線「１」の接点「１０」を中心に、立ち上り面の２本の折り曲げ罫線「２」の内側に折れ曲がり、容器の前後の立ち上り面を各逆方向に外側に拡幅を伴い押し出して、自動的に容器の収納量を拡大するものである。
【産業上の利用可能性】
【０００９】  産業の利用可能性は、容器価値の向上や商品収納適性の向上、結果としての容器の商品価値と農作物等又は加工食品等の物品の商品価値向上効果を期待する。又経済効果として容器の利便性とコスト削減を期待すると同時に、社会コストの削減効果に至ることを期待するにつきるものである。本考案の容器価値の向上は、従来の容器に対して本邦初の自動式機能を付加し、容器の価値を高めることとなる。本考案は、容器の立ち上がり面に設けた罫線折り曲げ機能により、特に自然現象で作柄が左右される農作物等又は加工食品等の物品の形状に適切に収納対処できる商品収納適性と、更に図面で示す如く容器本体の美形化の向上に資するものである。即ち本考案は、本邦初の自動式機能と農作物等又は加工食品等の物品の収納の自動式対応性を具備した高機能性を備えて、又本考案の容器は、本邦初の自動式機能により即座に容器の美的体裁を保持調整し、結果的に農作物等又は加工食品等の物品の商品価値を高め、農作物等又は加工食品等の物品の顧客の購買意欲を諾起するものとなる。本考案の本邦初の自動式機能を備えた容器本体は、自然現象で大きさ等が変動する農作物等又は加工食品等の物品を一つの容器で複数対処できる優位性を持ち、作業の能率化という利便性を高め、容器の経費低減を実現し、事業者等のコスト削減につながるものである。又本考案の容器は、容器の使用後のリサイクルを目的とし、地球温暖化やゴミ埋め立て地の隘路化の解消に資するパルプ又は古紙を素材とする紙容器又は紙トレーの提供を提案するものである。
【図面の簡単な説明】
【００１０】
【図１】紙本体の展開図で、紙本体は符号「１」「２」「３」「４」「５」「６」「７」「８」「９」「１０」で形成せられる。
【図２】容器本体の斜視図である。この斜視図は、「図６」の変化した状態である。容器本体は符号「１」「２」「３」「４」「５」「６」「７」「８」「９」「１０」で形成せられる。
【図３】「図２」の平面図である。
【図４】「図２」の正面図である。
【図５】「図２」の側面図である。
【図６】容器本体の斜視図である。この斜視図が、変動して「図２」の状態となる。
【図７】「図６」の平面図である。
【図８】「図６」の正面図である。
【図９】「図６」の側面図である。
【符号の説明】
【００１１】１は紙本体の前後の切り刃線
２は紙本体の前後の立ち上り面の折り曲げ罫線
３は紙本体の前後の立ち上り面の切り刃線
４は紙本体の前後の立ち上り面において、２本の折り曲げ罫線「２」で仕切られた面
５は紙本体の前後の立ち上り面において、２本の折り曲げ罫線「２」と底面の折り曲げ罫線「７」で仕切られた面
６は糊しろ
７は紙本体の底面の折り曲げ罫線
８は紙本体の左右の側面の立ち上り面
９は底面
１０は紙本体「図１」の前後立ち上り面において、底面罫線「７」の両端から、２本の折り曲げ罫線「２」を切り刃線「１」の中心点で交わせる接点
【図１】
0003113579.tif 000003
【図２】
0003113579.tif 000004
【図３】
0003113579.tif 000005
【図４】
0003113579.tif 000006
【図５】
0003113579.tif 000007
【図６】
0003113579.tif 000008
【図７】
0003113579.tif 000009
【図８】
0003113579.tif 000010
【図９】
0003113579.tif 000011
【手続補正書】
【提出日】平成17年6月17日(2005.6.17)
【手続補正１】
【補正対象書類名】実用新案登録請求の範囲
【補正対象項目名】全文
【補正方法】変更
【補正の内容】
【実用新案登録請求の範囲】
【請求項１】
パルプ又は古紙を主原料とする板紙又は段ボールシートを打ち抜き折り曲げ加工により形成せられた紙容器本体において、紙容器本体の前後の立ち上り面に、底面９の前・後縁の折り曲げ罫線７と、その前後の折り曲げ罫線７の各両端から前後の立上り面の切り刃線１の左右の中心点に向う２本の折り曲げ罫線２・２を形設して、それら罫線７・２・２で仕切られる二等辺三角形の面５を形成し、その紙容器本体の前後の立ち上り面の２本の折り曲げ罫線２により、紙容器本体の前後の立ち上り面に伸縮の機能を持たせた四角又は複数角の紙容器又は紙トレー。
【手続補正２】
【補正対象書類名】明細書
【補正対象項目名】全文
【補正方法】変更
【補正の内容】
【考案の詳細な説明】
【技術分野】
【０００１】
本考案は、一つの容器において大小の葡萄の房や苺等の農産物等又は加工食品等の物品を収納するのに便利な紙容器又は紙トレーに関する。
【背景技術】
【０００２】
プレス成型やプラスチック射出成型の成型装置費は高価であるが、これに比してこのようなシート状の板紙を折り曲げ打ち抜き成型加工する紙容器又は紙トレーは、成型装置が安価な為に広い分野に利用されている。これらシートを折り曲げて、目的とする形状に組み立てた紙容器又は紙トレーは、一般的には収納物品一定量毎の定量容器で対応してきた経緯となっている。即ち従来は一定の容器に対応するＳ、Ｍ、Ｌ等一定量の果実等の農産物等又は加工食品等の物品を収納していたが、特に果実等の農作物又は加工食品等の物品の如く大きさや形状や収納量等が自然現象の変化の影響を受けやすい物品等には順応できないでいる。
【考案の開示】
【考案が解決しようとする課題】
【０００３】
そこで本考案は、プラスチック容器のリサイクル対策と廃棄処分問題が社会問題化している中で、容器の使用後再生ができリサイクル対策でほとんど問題のない又廃棄処分で問題の少ない環境に優しい紙容器の採用を推進しながら、特に収穫毎に形状や容量の大きめに変動する葡萄の房や苺等の農産物等又は加工食品等の物品を適性に収納ができ、体裁を整え商品価値を高め、特に果実等又は加工食品等の物品の毀損を防ぎ、取り扱いに便利なパルプ又は古紙を素材とする紙容器又は紙トレーを提供しようとするものである。
【課題を解決するための手段】
【０００４】
本考案の、シート状の板紙を折り曲げ打ち抜き成型させられた紙容器本体の特徴は、前後の立ち上り面において、底面の折り曲げ罫線７を底辺として、この底辺の折り曲げ罫線７の両端から切り刃線１の中心点で交わる接点１０で結ばれる２本の折り曲げ罫線２によって、前後立ち上り面が、紙容器本体に収容される収納物品等の量に応じて、前後の立ち上り面の外側方向に拡幅を伴いながら突き出る機能を仕組んでなるものである。
【考案の効果】
【０００５】
本考案は、シート状の板紙を折り曲げ打ち抜き成型加工によって成形した紙容器本体の前後の立ち上り面の罫線２において、容器に収納された果実等又は加工食品等の物品の量で圧力が加わることにより、前後の立ち上り面を前後に拡幅を伴いながら突き出るような装置が設けてある。特に収穫毎に果実等の物品の大きさや形状の変動するものに対しては、自動的にこの容器の装置により収納物品の体裁を保持調整し、収納物品の毀損を防ぎ、結果的に商品価値の保守と向上と経済効果の期待が可能となる。又使用済みの紙容器は資源としてリサイクルされ古紙容器等として再び生まれ変わることが可能で、地球温暖化を阻止し、廃棄処分による埋立地の隘路化を抑止する環境に優しいパルプ又は古紙を素材とする紙容器の提供が可能となる。
【考案を実施するための最良の形態】
【０００６】
本考案は、図示に従えば、紙容器本体の前後の立ち上り面において、底面の折り曲げ罫線７の両端から、前後の立上り面の切り刃線１の左右の中心点を結んだ二等辺三角形の面５を形成する。この容器の装置により、農作物等又は食品加工品等の物品のように予め予定された大きさの物品等が予期しない自然現象等で変動して大きくなる場合等、予定物品収納量が増加しても、実際の物品収納量に応じて、容器で相対する前後の立ち上り面において、二等辺三角形の面５を形成する２本の折り曲げ罫線２・２の、切り刃線１の左右の中心点で交わる接点１０を各前後に押し出し、各反対方向に自動的に拡幅し押し広げることで対応することとなる。
【実施例１】
【０００７】
本考案を図示の実施例により詳記すると次の如くである。シート状の板紙を、
折り曲げ打ち抜き成型加工して図１に示す紙容器本体のように所定形状に打ち抜き、それの前後の立ち上り面において、折り曲げ罫線２の二つの罫線と、切り刃線１と、底部の折り曲げ罫線７とで、切り刃線１の中心点で結ぶ二等辺三角形なる面５を形成して設けてなるものである。
【０００８】
実施例では、紙容器本体の前後の立ち上り面において、２本の折り曲げ罫線２・２と底面の折り曲げ罫線７とで仕切られた二等辺三角形の面５を形成するものであるが、しかしながら紙容器本体の完成品は図６に示す形態であり、前後の立ち上り面の折り曲げ罫線２を予め折り曲げるに能わずである。かくして前後の立ち上り面において、紙容器本体内に葡萄の房や苺等の農産物又は加工食品等の物品を入れる量の圧力によって、切り刃線１の中心点で交わる２本の折り曲げ罫線２・２の接点１０を中心に、立ち上り面が２本の折り曲げ罫線２の内側に折れ曲がり、容器の前後の立ち上り面を各逆方向に外側に拡幅を伴い押し出して、自動的に容器の収納量を拡大するものである。
【産業上の利用可能性】
【０００９】
産業の利用可能性は、容器価値の向上や商品収納適性の向上、結果としての紙容器の商品価値と農作物等又は加工食品等の物品の商品価値向上効果を期待する。又経済効果として紙容器の利便性とコスト削減を期待すると同時に、社会コストの削減効果に至ることを期待するにつきるものである。本考案の紙容器価値の向上は、従来の容器に対して本邦初の自動式機能を付加し、紙容器の価値を高めることとなる。本考案は、紙容器本体の立ち上がり面に設けた罫線折り曲げ機能により、特に自然現象で作柄が左右される農作物等又は加工食品等の物品の形状に適切に収納対処できる商品収納適性と、更に図面で示す如く紙容器本体の美形化の向上に資するものである。即ち本考案は、本邦初の自動式機能と農作物等又は加工食品等の物品の収納の自動式対応性を具備した高機能性を備えて、又本考案の紙容器本体は、本邦初の自動式機能により即座に容器の美的体裁を保持調整し、結果的に農作物等又は加工食品等の物品の商品価値を高め、農作物等又は加工食品等の物品の顧客の購買意欲を諾起するものとなる。本考案の本邦初の自動式機能を備えた紙容器本体は、自然現象で大きさ等が変動する農作物等又は加工食品等の物品を一つの容器で複数対処できる優位性を持ち、作業の能率化という利便性を高め、紙容器の経費削減を実現し、事業者等のコスト削減につながるものである。又本考案の紙容器は、容器の使用後のリサイクルを目的とし、地球温暖化やゴミ埋め立て地の隘路化の解消に資するパルプ又は古紙を素材とする紙容器又は紙トレーの提供を提案するものである。
【図面の簡単な説明】
【００１０】
【図１】紙容器本体の展開図で、紙容器本体は符号１、２、３、４、５、６、７、８、９、１０を付した部材で形成せられる。
【図２】紙容器本体の斜視図である。この斜視図は、図６の変化した状態である。紙容器本体は符号１、２、３、４、５、６、７、８、９、１０の符号を付した部材で形成せられる。
【図３】図２の平面図である。
【図４】図２の正面図である。
【図５】図２の側面図である。
【図６】紙容器本体の斜視図である。この斜視図が、変動して図２の状態となる。
【図７】図６の平面図である。
【図８】図６の正面図である。
【図９】図６の側面図である。
【符号の説明】
【００１１】
１は紙容器本体の前後の切り刃線
２は紙容器本体の前後の立ち上り面の折り曲げ罫線
３は紙容器本体の前後の立ち上り面の切り刃線
４は紙容器本体の前後の立ち上り面において、２本の折り曲げ罫線２で仕切られた面
５は紙容器本体の前後の立ち上り面において、２本の折り曲げ罫線２と底面の折り曲げ罫線７で仕切られた面
６は糊しろ
７は紙容器本体の底面の折り曲げ罫線
８は紙容器本体の左右の側面の立ち上り面
９は底面
１０は紙容器本体図１の前後立ち上り面において、底面の折り曲げ罫線７の両端からのびる２本の折り曲げ罫線２が、切り刃線１の中心点で交わる接点